(57)【要約】【課題】エレベータの保守点検作業の効率を向上させることができるエレベータ用点検札装置を得る。【解決手段】三方枠１の上板１３１に設けられ、間口方向に延びた回動軸３０１と、回動軸３０１に設けられ、上板１３１から下方に延びる表示位置と上板１３１に沿って延びる格納位置との間で変位する点検札３０２と、点検札３０２を移動させる点検札移動装置とを備え、点検札移動装置は、点検札３０２を吸引して点検札３０２の位置を格納位置に維持する第１電磁石３１２と、表示位置にある点検札３０２と係合した状態で上方に移動することによって点検札３０２を表示位置から格納位置に変位させる引上棒３２１と、引上棒３２１を吸引して引上棒３２１を上方に移動させる第２電磁石３２０とを有している。【選択図】図２
2015227238.tif 000002
【特許請求の範囲】
【請求項１】
乗場の三方枠の上板に設けられ、間口方向に延びた回動軸と、
前記回動軸を中心に回動可能に設けられ、回動することによって、前記上板から下方に延びる表示位置と前記上板に沿って延びる格納位置との間で変位する点検札と、
前記上板に設けられ、前記点検札を移動させる点検札移動装置と
を備え、
前記点検札移動装置は、
励磁されることによって前記点検札を吸引して前記点検札の位置を前記格納位置に維持する第１電磁石と、
上下方向に移動可能に設けられ、前記表示位置にある前記点検札と係合した状態で上方に移動することによって前記点検札を前記表示位置から前記格納位置に向かって変位させる引上棒と、
励磁されることによって前記引上棒を吸引して前記引上棒を上方に移動させる第２電磁石と
を有し、
前記点検札は、前記第１電磁石が励磁され前記第２電磁石が励磁されていない状態で前記第１電磁石の励磁が解除された場合に、自重によって前記格納位置から前記表示位置に変位し、前記第１電磁石および前記第２電磁石が励磁されていない状態で前記第１電磁石および前記第２電磁石が励磁された場合に、前記引上棒によって前記表示位置から前記格納位置に向かって変位し、前記第１電磁石に吸引されて前記格納位置に変位することを特徴とするエレベータ用点検札装置。
【請求項２】
前記点検札移動装置は、
前記表示位置にある前記点検札が前記格納位置に移動することを規制する規制位置と前記表示位置にある前記点検札から離れる解除位置との間で変位可能に設けられ、前記第１電磁石が励磁されることによって、前記第１電磁石に吸引されて前記規制位置から前記解除位置に変位し、前記第１電磁石の励磁が解除されることによって、前記解除位置から前記規制位置に変位するストッパ装置をさらに有していることを特徴とする請求項１に記載のエレベータ用点検札装置。
【発明の詳細な説明】
【技術分野】
【０００１】
この発明は、点検作業中である旨を表示するエレベータ用点検札装置に関する。
【背景技術】
【０００２】
従来、エレベータの保守点検を行う際に、作業者が各階の乗場の三方枠に取り付ける点検札が知られている（例えば、特許文献１参照）。
【先行技術文献】
【特許文献】
【０００３】
【特許文献１】特開２００８−８７９１８号公報
【発明の概要】
【発明が解決しようとする課題】
【０００４】
しかしながら、エレベータの保守点検を行う際に、作業者が各階の乗場に行って、三方枠に点検札を取り付け、エレベータの保守点検が終了する際に、作業者が各階の乗場に行って、三方枠から点検札を取り外すので、エレベータの保守点検作業の効率が悪いという問題点があった。
【０００５】
この発明は、エレベータの保守点検作業の効率を向上させることができるエレベータ用点検札装置を提供するものである。
【課題を解決するための手段】
【０００６】
この発明に係るエレベータ用点検札装置は、乗場の三方枠の上板に設けられ、間口方向に延びた回動軸と、回動軸を中心に回動可能に設けられ、回動することによって、上板から下方に延びる表示位置と上板に沿って延びる格納位置との間で変位する点検札と、上板に設けられ、点検札を移動させる点検札移動装置とを備え、点検札移動装置は、励磁されることによって点検札を吸引して点検札の位置を格納位置に維持する第１電磁石と、上下方向に移動可能に設けられ、表示位置にある点検札と係合した状態で上方に移動することによって点検札を表示位置から格納位置に向かって変位させる引上棒と、励磁されることによって引上棒を吸引して引上棒を上方に移動させる第２電磁石とを有し、点検札は、第１電磁石が励磁され第２電磁石が励磁されていない状態で第１電磁石の励磁が解除された場合に、自重によって格納位置から表示位置に変位し、第１電磁石および第２電磁石が励磁されていない状態で第１電磁石および第２電磁石が励磁された場合に、引上棒によって表示位置から格納位置に向かって変位し、第１電磁石に吸引されて格納位置に変位する。
【発明の効果】
【０００７】
この発明に係るエレベータ用点検札装置によれば、第１電磁石が励磁され第２電磁石が励磁されていない状態で第１電磁石の励磁が解除されることによって、点検札が自重によって格納位置から表示位置に変位し、第１電磁石および第２電磁石が励磁されていない状態で第１電磁石および第２電磁石が励磁されることによって、引上棒によって表示位置から格納位置に向かって変位し、第１電磁石に吸引されて格納位置に変位するので、作業者が各階の乗場に行くことなく、点検札を格納位置と表示位置との間で変位させることができる。その結果、エレベータの保守点検作業の効率を向上させることができる。
【図面の簡単な説明】
【０００８】
【図１】この発明の実施の形態１に係るエレベータの乗場を示す正面図である。
【図２】図１のエレベータ用点検札装置を示す側面図である。
【図３】図２のエレベータ用点検札装置を示す平面図である。
【図４】図２のエレベータ用点検札装置を示す側面図である。
【図５】図２の点検札を示す拡大図である。
【図６】図２のストッパおよび点検札の要部を示す拡大図ある。
【図７】図２の点検札が格納位置から表示位置に変位する様子を示す図である。
【図８】図２の点検札が表示位置にある様子を示す図である。
【発明を実施するための形態】
【０００９】
実施の形態１．
図１はこの発明の実施の形態１に係るエレベータの乗場を示す正面図である。図において、エレベータの乗場には、三方枠１と、乗場扉装置２と、エレベータ用点検札装置３とが設けられている。この例では、１つの階の乗場に設けられたエレベータ用点検札装置３を示しているが、全ての階の乗場にエレベータ用点検札装置３が配置されている。
【００１０】
三方枠１には、乗場出入口１１が形成されている。三方枠１は、高さ方向に延びた一対の縦枠１２と、一対の縦枠１２のそれぞれに渡って設けられた上枠１３とを有している。
【００１１】
乗場扉装置２は、乗場出入口１１を開閉する一対の乗場扉２１を有している。
【００１２】
エレベータ用点検札装置３は、上枠１３に設けられている。図２は図１のエレベータ用点検札装置３を示す側面図、図３は図２のエレベータ用点検札装置３を示す平面図、図４は図２のエレベータ用点検札装置３を示す側面図である。上枠１３は、乗場出入口１１（図１）の上壁面を構成し水平に配置された上板１３１を有している。上板１３１には、乗場出入口１１の間口方向に延びた回動軸３０１が設けられている。回動軸３０１は、上板１３１に設けられた軸受（図示せず）によって回動可能に支持されている。
【００１３】
回動軸３０１には、点検札３０２が回動軸３０１を中心に回動可能に設けられている。点検札３０２は、回動軸３０１から径方向外側に向かって延びて配置されている。点検札３０２は、回動することによって、上板１３１から下方に延びる表示位置と上板１３１に沿って延びる格納位置との間で変位する。点検札３０２の位置が表示位置である場合、乗場の利用者は、点検札３０２を目視することが可能となる。一方、点検札３０２の位置が格納位置である場合、点検札３０２は、乗場の利用者に目視されない。
【００１４】
回動軸３０１には、点検札３０２に垂直な方向に延びた固定金３０３が設けられている。固定金３０３は、点検札３０２の位置が格納位置である場合に、回動軸３０１から上方に延び、点検札３０２の位置が表示位置である場合に、上板１３１に沿うように配置されている。上板１３１には、固定金３０３が貫通する切欠き（図示せず）が形成されている。固定金３０３は、回動軸３０１から固定金３０３の切欠きを貫通して上板１３１よりも上方に延びて配置されている。
【００１５】
上板１３１の上面における回動軸３０１よりも乗場扉２１側の部分には、一対の支柱３０４が設けられている。固定金３０３よりも上方には、回転軸が回動軸３０１と平行となるように配置された一対の滑車３０５が設けられている。固定金３０３と支柱３０４との間には、滑車３０５に巻き掛けられた一対の紐部材３０６が設けられている。紐部材３０６は、紐部材３０６の中間部分に引張ばね部３０７を有している。点検札３０２が格納位置から表示位置に変位する場合に、固定金３０３は、引張ばね部３０７の弾性力に逆らって回動する。これにより、点検札３０２の格納位置から表示位置への移動がより緩やかに行われる。
【００１６】
図５は図２の点検札３０２を示す拡大図である。点検札３０２は、点検札本体３０８と、点検札本体３０８の先端部であって上板１３１（図２）に対向する部分に設けられた鉄片３０９と、鉄片３０９に設けられた圧縮ばね３１０と、鉄片３０９に隣り合うように点検札本体３０８に設けられた座３１１とを有している。座３１１の厚さ方向の寸法は、鉄片３０９の厚さ方向の寸法よりも大きく、鉄片３０９の厚さ方向の寸法および無負荷状態の圧縮ばね３１０の長さ方向の寸法の和よりも小さくなっている。
【００１７】
図２、図３、図４に示すように、上板１３１の上面であって点検札３０２が格納位置にある場合に鉄片３０９（図５）と高さ方向に重なる部分には、第１電磁石３１２が設けられている。第１電磁石３１２は、励磁されることによって、圧縮ばね３１０の弾性力に逆らって鉄片３０９を吸引する。第１電磁石３１２が鉄片３０９を吸引することによって、点検札３０２が格納位置に維持される。第１電磁石３１２が鉄片３０９を吸引する場合、圧縮ばね３１０は、座３１１の厚さ方向の寸法と、鉄片３０９の厚さ方向の寸法および圧縮ばね３１０の長さ方向の寸法の和とが一致するまで圧縮される。第１電磁石３１２の励磁が解除されると、第１電磁石３１２による鉄片３０９の吸引が無くなる。これにより、鉄片３０９は、圧縮ばね３１０の弾性力によって第１電磁石３１２から離れる方向に押され、点検札３０２は、自重によって、格納位置から表示位置に変位する。
【００１８】
上板１３１よりも上方であって第１電磁石３１２と固定金３０３との間には、Ｌ字形状のストッパ３１３が設けられている。ストッパ３１３は、鉄から構成されている。ストッパ３１３は、上板１３１に沿った方向であって第１電磁石３１２に近づいたり離れたりする方向（離接方向）に移動可能となっている。第１電磁石３１２とストッパ３１３との間には、圧縮ばね３１４が設けられている。ストッパ３１３および圧縮ばね３１４からストッパ装置が構成されている。
【００１９】
第１電磁石３１２は、励磁されることによって、圧縮ばね３１４の弾性力に逆らってストッパ３１３を吸引する。ストッパ装置は、ストッパ３１３が第１電磁石３１２に吸引された場合に、表示位置にある点検札３０２の固定金３０３から離れる解除位置となる。ストッパ３１３は、第１電磁石３１２の励磁が解除されることによって、圧縮ばね３１４の弾性力によって、第１電磁石３１２から離れる方向に移動する。ストッパ装置は、圧縮ばね３１４の弾性力によって第１電磁石３１２から離れる方向に移動した場合に、表示位置にある点検札３０２が格納位置に移動することを規制する規制位置となる。つまり、ストッパ装置は、表示位置にある点検札３０２が格納位置に移動することを規制する規制位置と表示位置にある点検札３０２から離れる解除位置との間で変位可能となっており、第１電磁石３１２が励磁されることによって、第１電磁石３１２に吸引されて規制位置から解除位置に変位し、第１電磁石３１２の励磁が解除されることによって、解除位置から規制位置に変位する。
【００２０】
図６は図２のストッパ３１３および点検札３０２の要部を示す拡大図ある。ストッパ３１３は、ストッパ本体３１５と、ストッパ本体３１５における固定金３０３側の端部に設けられ回動軸３０１と平行に配置された軸３１６と、軸３１６を中心に回動可能に設けられた一対の爪３１７と、爪３１７がストッパ本体３１５における固定金３０３側の端部と平行となるように爪３１７を付勢するばね３１８と、爪３１７に設けられ、爪３１７の回動を規制する規制部３１９とを有している。爪３１７は、軸３１６から径方向外側に向かって延びて配置されている。また、爪３１７は、ストッパ装置が規制位置にある場合に、回動する固定金３０３に当たるように配置されている。爪３１７は、固定金３０３が上方から爪３１７に当たる場合に、軸３１６を中心に回動する。これにより、固定金３０３の回動は、爪３１７によって妨げられることが防止され、固定金３０３は、爪３１７よりも下方に移動する。一方、爪３１７は、固定金３０３が下方から爪３１７に当たる場合に、規制部３１９によって、軸３１６を中心とした回動が規制される。これにより、固定金３０３の回動は、爪３１７によって妨げられる。爪３１７は、ストッパ装置が解除位置にある場合に、回動する固定金３０３に当たらないように配置されている。
【００２１】
図２、図３、図４に示すように、爪３１７よりも上方には、第２電磁石３２０が設けられている。第２電磁石３２０と上板１３１との間には、鉄から構成された引上棒３２１が設けられている。引上棒３２１は、上下方向に移動可能となっている。第２電磁石３２０と引上棒３２１との間には、圧縮ばね３２２が設けられている。第２電磁石３２０は、励磁されることによって、圧縮ばね３２２の弾性力に逆らって引上棒３２１を吸引する。引上棒３２１は、第２電磁石３２０の励磁が解除されることによって、圧縮ばね３２２の弾性力および引上棒３２１の自重によって、下方に移動する。
【００２２】
引上棒３２１は、第２電磁石３２０が励磁されていない場合に、下端部が上板１３１に接触する。引上棒３２１が上板に接触する場合であって、点検札３０２の位置が表示位置である場合には、固定金３０３は、引上棒３２１の上に載せられる。この場合、固定金３０３が引上棒３２１と係合する。固定金３０３が引上棒３２１と係合した状態で、第２電磁石３２０が励磁されると、引上棒３２１が上昇するとともに、固定金３０３が回動して、点検札３０２は、鉄片３０９が第１電磁石３１２に近づく方向に回動し、表示位置から格納位置に向かう方向に変位する。
【００２３】
第１電磁石３１２および第２電磁石３２０には、第１電磁石３１２および第２電磁石３２０への電流の供給を制御する電流供給制御装置（図示せず）が接続されている。電流供給制御装置は、各階の第１電磁石３１２および第２電磁石３２０への電流の供給を制御する。
【００２４】
第１電磁石３１２、ストッパ３１３、圧縮ばね３１４、第２電磁石３２０、引上棒３２１、圧縮ばね３２２および電流供給制御装置から点検札移動装置が構成されている。
【００２５】
次に、エレベータ用点検札装置３の動作について説明する。エレベータが通常運転を行う場合には、第１電磁石３１２が励磁されており、点検札３０２は、格納位置に維持される。この場合、第２電磁石３２０は励磁されていない。エレベータの保守点検を行う際には、作業者は、図示しないスイッチを操作して、電流供給制御装置から第１電磁石３１２への電流の供給を停止させる。これにより、図７に示すように、第１電磁石３１２の励磁が解除され、点検札３０２は、格納位置から表示位置に変位し、ストッパ装置は、解除位置から規制位置に変位する。
【００２６】
この場合、電流供給制御装置から第２電磁石３２０への電流の供給は停止されており、第２電磁石３２０の励磁が解除されている。したがって、引上棒３２１が上板１３１に接触している。これにより、固定金３０３が引上棒３２１の上に載せられて引上棒３２１と係合する。このとき、ストッパ３１３には固定金３０３が上方から当たるもの、爪３１７が軸３１６を中心に回動して、固定金３０３がストッパ３１３よりも下方に移動する。その後、爪３１７が元の位置に復帰して、爪３１７が固定金３０３の上面に接触する。これにより、図８に示すように、固定金３０３は、引上棒３２１とストッパ３１３との間に挟まれる。その結果、点検札３０２の位置は、表示位置に維持される。
【００２７】
エレベータの保守点検が終了する場合には、作業者は、図示しないスイッチを操作して、電流供給制御装置から第１電磁石３１２に電流を供給させて第１電磁石３１２を励磁させる。これにより、ストッパ装置が規制位置から解除位置に変位し、点検札３０２の維持が解除される。つまり、点検札３０２がフリーとなる。
【００２８】
第１電磁石３１２への電流の供給開始から所定の時間が経過した後、電流供給制御装置から第２電磁石３２０に電流を供給させる。これにより、第２電磁石３２０が励磁され、引上棒３２１が上昇し、点検札３０２は、格納位置から表示位置に向かう方向に変位する。
【００２９】
鉄片３０９が第１電磁石３１２に吸引される領域に入ると、鉄片３０９が第１電磁石３１２に吸引される。これにより、点検札３０２は、格納位置に変位する。その後、第２電磁石３２０への電流の供給が停止されて第２電磁石３２０の励磁が解除され、エレベータ用点検札装置３の動作が終了する。
【００３０】
以上説明したように、この発明の実施の形態１に係るエレベータ用点検札装置３によれば、第１電磁石３１２が励磁され第２電磁石３２０が励磁されていない状態で第１電磁石３１２の励磁が解除されることによって、点検札３０２が自重によって格納位置から表示位置に変位し、第１電磁石３１２および第２電磁石３２０が励磁されていない状態で第１電磁石３１２および第２電磁石３２０が励磁されることによって、引上棒３２１によって表示位置から格納位置に向かって変位し、第１電磁石３１２に吸引されて格納位置に変位するので、作業者が各階の乗場に行くことなく、点検札３０２を格納位置と表示位置との間で変位させることができる。その結果、エレベータの保守点検作業の効率を向上させることができる。
【００３１】
また、点検札移動装置は、表示位置にある点検札３０２が格納位置に移動することを規制する規制位置と表示位置にある点検札３０２から離れる解除位置との間で変位可能に設けられ、第１電磁石３１２が励磁されることによって、第１電磁石３１２に吸引されて規制位置から解除位置に変位し、第１電磁石３１２の励磁が解除されることによって、解除位置から規制位置に変位するストッパ装置をさらに有しているので、表示位置にある点検札３０２の位置を維持することができる。
【００３２】
また、第１電磁石３１２および第２電磁石３２０の励磁が解除された場合に、点検札３０２の位置が表示位置となるので、停電が発生した場合に、乗場の利用者に対して、エレベータが使用できないことを知らせることができる。
【符号の説明】
【００３３】
１  三方枠、２  乗場扉装置、３  エレベータ用点検札装置、１１  乗場出入口、１２  縦枠、１３  上枠、２１  乗場扉、１３１  上板、３０１  回動軸、３０２  点検札、３０３  固定金、３０４  支柱、３０５  滑車、３０６  紐部材、３０７  引張ばね部、３０８  点検札本体、３０９  鉄片、３１０  圧縮ばね、３１１  座、３１２  第１電磁石、３１３  ストッパ、３１４  圧縮ばね、３１５  ストッパ本体、３１６  軸、３１７  爪、３１８  ばね、３１９  規制部、３２０  第２電磁石、３２１  引上棒、３２２  圧縮ばね。
【図１】
2015227238.tif 000003
【図２】
2015227238.tif 000004
【図３】
2015227238.tif 000005
【図４】
2015227238.tif 000006
【図５】
2015227238.tif 000007
【図６】
2015227238.tif 000008
【図７】
2015227238.tif 000009
【図８】
2015227238.tif 000010